(57)【要約】【課題】  開き戸機構付き引き戸において、開閉操作の操作性をよくして簡便な操作のものに構成する。【解決手段】  開口部一側部を閉鎖するように設けられる戸袋体１に沿って開閉移動する引き戸体３を、フレーム部４とパネル部５とで構成し、パネル部５の戸先側に操作ハンドル１８を設けるにあたり、該操作ハンドル１８は、戸袋体１とパネル部５とが一体に開閉揺動する過程で、戸袋体１の戸先よりもさらに戸先側に位置する位置関係となるようにしてパネル部５の戸先に設ける構成とする。【選択図】        図９
2005060962.tif 000002
【特許請求の範囲】
【請求項１】
開口部の一側部を閉鎖する戸袋体と、該戸袋体に沿って開口部の他側部を開閉するよう構成された引き戸体とを備え、引き戸体が開口部他側部を全開する全開姿勢において、戸袋体と引き戸体とが一体に揺動して開口部を全開するように構成された開き戸機構付き引き戸において、引き戸体には、戸先側に位置して開閉操作用の操作具が設けられ、該操作具は、戸袋体との一体揺動の過程で戸袋体の戸先よりもさらに戸先側に位置するように設けられている開き戸機構付き引き戸。
【請求項２】
請求項１において、操作具は、引き戸体の両板面から突出して設けられている開き戸機構付き引き戸。
【請求項３】
請求項１または２において、操作具は、引き戸体の全開姿勢における戸袋体の戸先からの距離が、戸袋体の揺動支点と引き戸体の揺動支点とにおける左右方向の距離と室内外方向の距離との和よりも大きくなるように設定されている開き戸機構付き引き戸。
【請求項４】
請求項１、２または３において、戸袋体と引き戸体とは、戸袋体の戸先に設けた振れ止め体を引き戸体に移動自在に嵌合させることで連結されている開き戸機構付き引き戸。
【請求項５】
請求項４において、戸袋体と引き戸体との一体揺動は、操作具の操作でなされるように構成されている開き戸機構付き引き戸。
【発明の詳細な説明】
【技術分野】
【０００１】
本発明は、建築物の開口部を仕切る開き戸機構付き引き戸の技術分野に属するものである。
【背景技術】
【０００２】
一般に、開口部を仕切る戸体として、開口部の一側部に戸袋体を設けて開口部の一側部を閉鎖するとともに、該戸袋体に積層状に戸体を設け、該戸体を戸袋体に沿って移動させることで、開口部の他側部を開閉するように構成した引き戸体が知られている。ところがこのものでは、開口部として出入り自在となる部位は引き戸体が開放する他側部のみであるため、出入りする大きさにどうしても限界がある。
そこで、大開口を必要とする仕切り体として、引き戸体が開口部他側部を全開する全開姿勢となったとき、戸袋体と引き戸体とが一体に揺動する開き戸として機能して、開口部の一方側も含めて開口部全域を開放できるように構成した開き戸機構付きの引き戸が提唱されている。このように構成した場合、戸袋体と引き戸体とは、引き戸体が戸袋体に沿って平行移動することから室内外方向に並列して設けられており、引き戸体と戸袋体とを揺動方向に開閉する場合では、それぞれの戸体がばらばらに作動してしまう惧れがあり、操作性に劣るという問題がある。
【０００３】
この改善策として、戸袋体と引き戸体とを連結することが考えられるが、戸袋体と引き戸体とは、それぞれ別個の揺動支軸を支点としてそれぞれ揺動開放する構成であるため、両戸体を一体に揺動させる場合ではそれぞれ別個の揺動軌跡となる。そこで、戸袋体の戸先に引き戸体の平行移動時における振れ止めをする振れ止め体を設けるように構成するとともに、該振れ止め体を、戸袋体に対して移動自在な構成とし、両扉体を開閉揺動する場合では、引き戸体の戸先に嵌合する連結部材が、引き戸体と戸袋体との各揺動軌跡に対応して引き戸体に対して移動するように構成したものが提唱されている。
【特許文献１】特開平７−２９３１０２号公報
【発明の開示】
【発明が解決しようとする課題】
【０００４】
ところが、前記従来のものにおいて、引き戸体と戸袋体とは、引き戸体の全開姿勢で引き戸体と戸袋体との戸先側端部が左右方向略同位置に位置しており、この状態から引き戸体を押し操作することで、引き戸体と戸袋体とが開放揺動するように構成されている。そして、前述したように各戸体の揺動支点が異なることからそれぞれの揺動軌跡が異なり、このため、両戸体が開放揺動した状態では、戸袋体の戸先側端部の方が引き戸体の戸先側端部よりも戸先側に突出した状態となっている。このように構成されたものにおいて、開放揺動している両戸体を閉鎖揺動、即ち、手前側に引き操作する場合では、引き戸体より戸先側に突出する戸袋体が開放方向先側に位置しているため、該突出している戸袋体側を手前側に押しやるような操作が強いられることになり、このままでは操作性が劣るという問題がある。そこで、このような開き戸機構付き引き戸に操作具を設けて操作性の向上を計ることが好ましいが、このものでは、開放揺動するときに戸袋体が引き戸体よりも戸先側に位置する構成であり、戸袋体の揺動作動を邪魔しないようにするためには、引き戸体に掘り込み式の操作具を形成することになるが、該掘り込み式の操作具は、両手が塞がっているような場合では操作することができず、操作性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の一側部を閉鎖する戸袋体と、該戸袋体に沿って開口部の他側部を開閉するよう構成された引き戸体とを備え、引き戸体が開口部他側部を全開する全開姿勢において、戸袋体と引き戸体とが一体に揺動して開口部を全開するように構成された開き戸機構付き引き戸において、引き戸体には、戸先側に位置して開閉操作用の操作具が設けられ、該操作具は、戸袋体との一体揺動の過程で戸袋体の戸先よりもさらに戸先側に位置するように設けられているものである。
そして、このようにすることにより、開き戸機構付き引き戸の操作を、操作具を介して行うことができる。
請求項２の発明は、請求項１において、操作具は、引き戸体の両板面から突出して設けられているものであり、このようにすることにより、両手が塞がっていても操作性よく開閉操作を行うことができる。
請求項３の発明は、請求項１または２において、操作具は、引き戸体の全開姿勢における戸袋体の戸先からの距離が、戸袋体の揺動支点と引き戸体の揺動支点とにおける左右方向の距離と室内外方向の距離との和よりも大きくなるように設定されているものであり、このようにすることにより、操作具が板面から突出するように構成されても戸袋体の揺動作動を邪魔することがない。
請求項４の発明は、請求項１、２または３において、戸袋体と引き戸体とは、戸袋体の戸先に設けた振れ止め体を引き戸体に移動自在に嵌合させることで連結されているものであり、このようにすることにより、引き戸として戸袋体に沿って開閉するときだけでなく、開き戸として揺動移動に基づく開閉のときも、操作ハンドルによる簡便な操作を操作性よく行うことができる。
請求項５の発明は、請求項４において、戸袋体と引き戸体との一体揺動は、操作具の操作でなされるように構成されているものであり、このようにすることにより、開閉揺動の操作を操作ハンドルによる簡便な操作で行うことができて、操作性が向上する。
【発明の効果】
【０００６】
請求項１の発明とすることにより、開閉操作の操作性が優れ、緊急時での対応も手際よく行うことができる。
請求項２の発明とすることにより、両手が塞がっているような場合であっても開き戸機構付き引き戸の操作ができて、操作性が向上する。
請求項３の発明とすることにより、操作具操作を簡便なものにしても、開閉揺動に支障を生じることがないようにできる。
請求項４の発明とすることにより、開閉操作が簡便になって、操作性がさらに向上する。
請求項５の発明とすることにより、開閉揺動の操作が簡便になって、操作性さらに向上する。
【発明を実施するための最良の形態】
【０００７】
次ぎに、本発明の実施の形態について、図面に基づいて説明する。
図中、１は例えば病院の集中治療室等の室内への出入り口部となる開口部の一側部に配設された戸袋体であって、該戸袋体１は、一側部（戸尻）が上下の枢軸１ａを介して、開口部の上部を構成する上側枠体２と、開口部の下部を構成する床面とにそれぞれ枢支され、図１の図面向かって奥側であって、本実施の形態では室外側への開放揺動が可能となるように構成されている。さらに、開口部の他側部には、戸袋体１の室内側に沿う状態で引き戸体３が設けられており、該引き戸体３は、後述するように開口部他側部を閉鎖する全閉姿勢から戸袋体１と室内外方向に積層して開口部他側部を開放する全開姿勢とに変姿するように構成されている。
【０００８】
前記引き戸体３は、左右に長い左右フレーム４ａと上下に長い上下フレーム４ｂとによりＬ字形状に形成されたフレーム部４と、該フレーム体４の内側面に内嵌されるパネル部５とを、フレーム部４に対し本体部５が室外側に開放揺動が可能となる状態で連結することにより構成されており、この構成についての詳細な説明は後述する。
そして、本実施の形態の引き戸体３は自閉式に構成されており、その構成をつぎに説明する。
つまり、前記上側枠体２は躯体開口部の上部に一体に設けられるよう長尺状に形成されており、該上側枠体２の室内側面２ａに吊りレール６が一体的に設けられている。前記吊りレール６は側面視で略Ｌ字状に形成され、上下方向を向く脚片６ａが上側枠体２に一体的に固定され、左右方向を向く脚片６ｂの先端部に上下方向を向くレール部６ｃが形成される構成となっている。そして、吊りレール６は、一側方（戸袋体１の配設側）ほど高位に位置するよう傾斜する状態で上側枠体２に取付けられている。
【０００９】
一方、７は引き戸体３を構成するフレーム体４の左右フレーム４ａに、所定間隙を存して配される一対のローラブラケットであって、これらローラブラケット７の屋内側面にそれぞれローラ８が回動自在に枢支されている。これらローラ８は外周面に凹溝部８ａがそれぞれ形成され、該凹溝部８ａをレール部６ｃに上側から係合させることで、引き戸体３が吊りレール６に吊持状に支持されるように設定されている。そして、引き戸体３は、ローラ８が吊りレール部６ｃを転動走行することで吊りレール６に沿って開閉移動を行うが、前述したように、吊りレール６は一側ほど高位置になるように傾斜しており、これによって、引き戸体３は、図２の実線で示すように、開口他側部を閉鎖する全閉姿勢から開放操作をした場合、自重に基づいて傾斜状の吊りレール６に沿って自動的に閉鎖するように設定されており、このようにして自閉式の引き戸体３が構成されている。
【００１０】
さらに、引き戸体３（左右フレーム４ａ）の戸尻側（一側部）の上端部には、上下方向揺動自在な軸部９ａの先端にローラ９ｂが軸承されたエンドストッパー９が設けられる一方、上側枠体２の室内側面２ａには、一端部側に位置してストッパ受け体１０が設けられており、図２の仮想線で示すように、引き戸体３が開口部他側部を全開する全開姿勢に変姿した場合に、エンドストッパー９がストッパ受け体１０に係止し、引き戸体３の全開姿勢を保持するように構成されている。尚、ストッパ受け体１０は、エンドストッパー９を引き戸体３の閉鎖方向に引っ張ることでエンドストッパー９との係止を解除するように構成されており、これによって、引き戸体３の全開姿勢の保持は、引き戸体３を強制的に閉鎖操作することに伴い解除されるように設定されている。尚、引き戸体３の強制的な閉鎖操作力は、ストッパ受け体１０とエンドストッパー９との係止を解除するに足る操作力であればよく、適宜の設定が可能となるように構成されている。
また、前記上側枠体２の室内側面２ａには、自動的に閉鎖する引き戸体３のローラブラケット７が全閉する少し前の段階で当接して、引き戸体３の全閉に基づく衝撃を緩衝するためのピストンシリンダ１１が設けられている。
【００１１】
前記引き戸体３を構成するフレーム部４とパネル部５とは、左右フレーム部４ａのコーナー部下端部と、上下フレーム４ｂの戸先側下端部とに配設された上下の枢支軸４ｃを介して、パネル部５の戸尻側部位を枢支することにより連結されており、これによって、パネル部５は、上下の枢支軸４ｃを支点としてフレーム部４から室外側に向く開閉揺動が自在となる開き戸式となるように構成されている。さらに、左右フレーム４ａと上下フレーム５とのあいだには、左右フレーム４ａ下端面とパネル部５上端面とのあいだに位置してレバー５ａが設けられ、パネル部５のフレーム部４に対する揺動範囲が規制されるように構成されている。また、左右フレーム４ａ下端面には、戸先側に位置して略コ字形に折曲形成された止め金具２６の脚片が固定される一方、パネル部５上端面戸先側には、止め金具２６に係止する係止片を備えた受け金具２６ａが設けられおり、これら止め金具２６と受け金具２６ａとは、フレーム部４に対してパネル部５が室外方向に開放揺動することで係止解除され、室内方向への閉鎖揺動で係止されて、パネル部５がフレーム部４に支持されるように構成されている。
これによって、パネル部５は、フレーム部４に対して面一状となる閉鎖状態において、戸尻側については枢支軸４ｃによる支持を受け、戸先側については止め金具２６と受け金具２６ｃとによるフレーム部４からの支持を受けるように設定され、フレーム部４に作用するパネル部５の荷重がバランスされるように配慮されている。
【００１２】
一方、戸袋体１の戸先側となる他端側縁部の下端には支持ブラケット１３が設けられ、ここに、引き戸体３の振れ止めをするべく引き戸体３の凹溝４ｄ、５ｃに嵌合する振れ止めローラ１４のローラ軸１４ａと、引き戸体３の下側部位との係止をするべく、戸尻側（一端側）が開口する係止片（以降戸袋体下側係止片）１５とが設けられている。
さらに、戸袋体１の他端側縁部の上端には、Ｕ字形に折曲形成されて一端側が開口する上側係止片（以降戸袋体上側係止片）１６が設けられており、これら上側、下側係止片１６、１５とは、前記引き戸体３が開口部他側部を閉鎖する全閉姿勢となったとき、引き戸体３に設けられた係止片１２に係止するように設定されている。これによって、戸袋体１には開口部一側部を閉鎖する閉鎖姿勢に姿勢保持する戸袋体落し錠１７が設けられているが、引き戸体３が全閉姿勢にあるときに前記戸袋体落し錠１７による施錠状態が解除されたとしても、係止片１２、１６、１５同志の係止によって、戸袋体１が不用意に揺動してしまうようなことがないように構成されている。さらに、戸袋体下側係止片１５は、引き戸体３の振れ止めをする振れ止めローラ１４が設けられる支持ブラケット１３に形成されている結果、戸袋体下側係止片１５と引き戸体３側の係止片１２との係合がより確実になるように構成されている。
【００１３】
さらに、引き戸体３には、戸先側に位置し、室内外両面（両板面）からそれぞれ外方に突出する操作ハンドル１８が設けられている。そして、操作ハンドル１８を把持して開閉操作することにより、開き戸機構付き引き戸の開閉操作の操作性が良好になり、操作性が向上するようになっているが、この場合の操作ハンドル１８の配設位置はつぎのように設定されている。
つまり、パネル部５の戸先側端部位に設けられる操作ハンドル１８は、引き戸体３が全開姿勢となって戸袋体１に積層している状態において、操作ハンドル１８と戸袋体１の戸先側端部とのあいだの距離Ｈが、戸袋体１の揺動支点（枢軸１ａの軸芯）と引き戸体３の揺動支点（枢支軸４ｃの軸芯）とのあいだの左右方向の距離Ａと室内外方向の距離Ｂとの和よりも大きくなるように設定されている（Ｈ＞（Ａ＋Ｂ））。これによって、引き戸体３が全開姿勢となったとき、戸袋体１の戸先（戸先側端縁部）よりも戸先側に位置するように設定され、さらには、戸袋体１と引き戸体３とを室外側に一体に開閉揺動する場合に、引き戸体３の枢支軸４ｃよりも室外側、かつ、戸尻側に位置する枢軸１ａを支点として揺動するため、揺動角度が大きくなる（開放する）に従い引き戸体３に対して戸袋体１が相対的に室外側に突出するように変位して引き戸体３の戸先と戸袋体１の戸先との位置が近付くことになるが、このものでは、引き戸体３の操作ハンドル１８は、戸袋体１と引き戸体３とが揺動角度略９０度の角度を存して開放する全開揺動姿勢となった状態においても、戸袋体１の戸先よりも戸先側に位置するように設定されている。このように構成された操作ハンドル１８は、戸袋体１に沿って開閉作動を行う場合と、戸袋体１とともに揺動することで開閉作動を行う場合との何れの作動過程においても、常に両戸体１、３の戸先側に位置するように構成され、手が届きやすく、かつ、操作しやすく、緊急時の対応が迅速になるように構成されている。
尚、１９は、開口部上方の上側枠体２の室内側を覆うカバー体である。
【００１４】
このように構成された開き戸機構付き引き戸において、引き戸体３を戸袋体１に沿う開閉作動（平行移動）をさせる場合では、戸袋体１は、開口部一側部を閉鎖する状態で戸袋体落し錠１７が施錠されていて開口部に固定されている。一方、引き戸体３は、フレーム部４とパネル部５とが引き戸体落し錠２３により施錠されており、この状態において、引き戸体３のパネル部５は、上下の枢支軸４ｃと止め金具２６および受け金具２６ａを介してフレーム部４に支持され、かつ、引き戸体落し錠２３によりフレーム部４に対して一体化された状態に姿勢保持されている。そして、引き戸体３を全開姿勢とし、戸袋体落し錠１７および引き戸体落し錠２３とを解錠操作することにより、戸袋体１とパネル部５との姿勢保持が解除されて揺動許容状態となり、室内側に位置する引き戸体３の操作ハンドル１８を室外側に押しやることに伴い、パネル部５と、引き戸体３の室外側に位置する戸袋体１とが開き戸として機能して、それぞれ上下の枢軸１ａ、上下の枢支軸４ｃを支点として一体に開放揺動するように設定されている。このとき、戸袋体１とパネル部５とは、振れ止めローラ１４が引き戸体３の凹溝部５ｃ内を相対移動することにより、連結された状態で開放揺動するように設定されている。
尚、引き戸体３のフレーム部４とパネル部５とのあいだには第一、第二安全装置２０、２１が設けられており、引き戸体３が全開姿勢となることに伴い、フレーム部４とパネル部５とのあいだの連結が解除される（第一安全装置２０）とともに、引き戸体落し錠２３が解錠操作されることに伴いフレーム部４の一端側への移動規制がなされる（第二安全装置２１）ように設定されている。
【００１５】
そして、戸袋体１と引き戸体３が開放揺動されている状態から、両戸体１、３を閉鎖揺動する場合では、引き戸体３の操作ハンドル１８を把持して室内側に押しやればよく、このとき、室外側に位置する戸袋体１は、振れ止めローラ１４を介して引き戸体３に連結されているため、引き戸体３に追随する状態で閉鎖揺動するように設定されている。
尚、２２は開口部一側方室内側に設けられ、全開姿勢の引き戸体３の戸尻側部位（フレーム部４）の振れ止めをするための振れ止め体である。
【００１６】
叙述の如く構成された本発明の実施の形態において、引き戸体３は、操作ハンドル１８を開口部一側方に押し操作することで吊りレール６を走行する状態で戸袋体１に沿って移動して開口部他側部の開放作動を行う。そして、引き戸体３の閉鎖時では、操作ハンドル１８の把持を開放することで、吊りレール６が傾斜状態となっているため自動的に移動する（自閉する）。このものにおいて、引き戸体３が開口部の他側部を開放する開放姿勢となったとき、引き戸体３は戸袋体１とともに室外側に開放揺動するように構成されており、このため、戸袋体１と引き戸体３とは、室内外方向に位置ズレする枢支点である上下の枢軸１ａ、枢支軸４ｃを介して支持されている。このものにおいて、引き戸体３に設けられる操作ハンドル１８は、室外側に向けて開放揺動する際に、引き戸体３に対し室外側に相対的に変位する戸袋体１よりも戸先側に位置しているため操作ハンドル１８の操作がしやすく、揺動開放した戸袋体１と引き戸体３とを閉鎖揺動させる場合でも、戸袋体１よりも戸先側に位置する操作ハンドル１８を把持して操作すればよいことになって、操作性に優れ、緊急時においても手際よく対応して操作することができる。
【００１７】
さらにこのものでは、操作ハンドル１８は、引き戸体３の室内外両板面から突出するように設けられているので、両手が塞がっているような場合であっても、肩等の身体の一部を使って引き戸体３の開閉操作を行うことができて、さらなる操作性の向上が計れる。
【００１８】
しかも、この場合に、引き戸体３の板面から突出して設けられた操作ハンドル１８が戸袋体１と引き戸体３とが開放揺動するとき、戸袋体１に干渉することがなく、開閉操作を邪魔することもない。
【００１９】
しかも、本発明が実施されたものでは、戸袋体１と引き戸体３とは、戸袋体１に沿う引き戸体３の開閉作動の際に、引き戸体３の振れ止めをする振れ止め体１４により連結される状態となっているので、両戸体１、３を開閉揺動させる場合に、引き戸体３の操作ハンドル１８を操作すれば戸袋体も一体に揺動させることができて、操作性がさらに向上するとともに、開閉操作をより簡便なものにすることができる。
【図面の簡単な説明】
【００２０】
【図１】開き戸機構付き引き戸の室内側からの概略正面図である。
【図２】開き戸機構付き引き戸の一部部材を取外した状態の室内側からの正面図である。
【図３】開き戸機構付き引き戸の平面断面図である。
【図４】開き戸機構付き引き戸の縦断面図である。
【図５】開き戸機構付き引き戸の縦断面図である。
【図６】開き戸機構付き引き戸の縦断面図である。
【図７】開き戸機構付き引き戸の縦断面図である。
【図８】開き戸機構付き引き戸の概略平面図である。
【図９】開き戸機構付き引き戸の作用を説明する概略平面図である。
【符号の説明】
【００２１】
１    戸袋体
２    上側枠体
３    引き戸体
４    フレーム部
５    パネル部
１２    引き戸体係止片
１３    支持ブラケット
１４    振れ止めローラ
１８    操作ハンドル
【図１】
2005060962.tif 000003
【図２】
2005060962.tif 000004
【図３】
2005060962.tif 000005
【図４】
2005060962.tif 000006
【図５】
2005060962.tif 000007
【図６】
2005060962.tif 000008
【図７】
2005060962.tif 000009
【図８】
2005060962.tif 000010
【図９】
2005060962.tif 000011